(57)【特許請求の範囲】
【請求項１】
少なくとも１つの挿設穴が形成されたベースと、
上部と側部とを備え、前記ベースに組み合わせられる中空状の透光体であり、前記ベースの前記挿設穴と対応するように前記上部に少なくとも１つの挿設突部が設けられ、前記側部が上部の周縁からベースへ延設されて前記ベースの周縁に組み合わせられるカバーと、
前記ベースの上面に設置され、該基板と前記カバーとの間に開放空間が形成され、ベースの挿設穴と対応する少なくとも１つの、正電極回路及び負電極回路を有する電極回路を備え、前記正電極回路及び負電極回路のそれぞれは、前記開放空間に面して設置された電気接続部材と電気接続され、該電気接続部材は基板の電極回路と電気接続される突出部と、カバーの挿設突部に挿し込まれてカバーの外へ延出される少なくとも１つの弾性部材と、突出部と弾性部材とを接続する接続部とを備えた接続部基板と、
前記開放空間に面して設置され、前記基板の電極回路と電気接続される発光部材と、を有することを特徴とする、
高透光性の発光積木。
【請求項２】
前記弾性部材が前記カバーの挿設突部から突出していることを特徴とする請求項１に記載の高透光性の発光積木。
【請求項３】
前記挿設突部の高さと挿設突部から突出した弾性部材の高さとの合計高さは、前記ベースの前記挿設穴から前記基板までの深さより大きいことを特徴とする請求項２に記載の高透光性の発光積木。
【請求項４】
前記電極回路の前記正電極回路及び前記負電極回路は、同心円状に設置され、外周側の電極回路の一部にスリットが形成され、中心の電極回路が前記スリットを介して同心円の外部に延出することを特徴とする請求項１乃至３の何れか１項に記載の高透光性の発光積木。
【請求項５】
前記スリットを介して中心から同心円の外部に延出する電極回路は、該スリットに位置する部分において絶縁ペンキが塗布されてあることを特徴とする請求項４に記載の高透光性の発光積木。
【請求項６】
前記カバーの内側面に第二基板を有し、該第二基板は、少なくとも１つの第二正電極回路と第二負電極回路とを備えた第二電極回路を含み、該第二正電極回路及び第二負電極回路のそれぞれが電気接続部材と電気接続されていることを特徴とする請求項１に記載の高透光性の発光積木。
【請求項７】
前記カバーの上部の内側面に少なくとも１つの固定部が設けられると共に、前記電気接続部材の接続部に少なくとも１つの固定穴が前記固定部に対応するように形成され、該固定部と固定穴とが係合されていることを特徴とする請求項１に記載の高透光性の発光積木。
【請求項８】
少なくとも１つの挿設穴が形成されたベースと、
上部と側部とを備え、前記ベースに組み合わせられる中空状の透光体であり、前記ベースの前記挿設穴と対応するように前記上部に少なくとも１つの挿設突部が設けられ、前記側部が上部の周縁からベースへ延設されて前記ベースの周縁に組み合わせられるカバーと、
前記カバーの上部の内側面に設置される基板であって、該基板と、前記カバーの前記側部と、前記ベースとの間に開放空間が形成され、前記カバーの挿設突部と対応し、正電極回路及び負電極回路を有する少なくとも１つの電極回路を備え、前記正電極回路と負電極回路のそれぞれは、前記開放空間に面して設置された電気接続部材と電気接続され、該電気接続部材は基板の電極回路と電気接続される突出部と、ベースの挿設穴に挿し込まれてベースの外へ延出された少なくとも１つの弾性部材と、突出部と弾性部材とを接続する接続部とを備えた接続部基板と、
前記開放空間に面して設置され、前記基板の電極回路と電気接続される発光部材と、を有することを特徴とする、
高透光性の発光積木。
【請求項９】
前記弾性部材が前記ベースの前記挿設穴から突出していることを特徴とする請求項８に記載の高透光性の発光積木。
【請求項１０】
前記挿設穴の深さと挿設穴から突出した前記弾性部材の高さとの合計高さは、前記カバーの前記挿設突部の上部から前記基板までの深さより大きいことを特徴とする請求項９に記載の高透光性の発光積木。
【請求項１１】
前記電極回路の正電極回路及び負電極回路は、同心円状に設置され、外周側の電極回路の一部にスリットが形成され、中心の電極回路がスリットを介して同心円の外部に延出することを特徴とする請求項８乃至１０の何れか１項に記載の高透光性の発光積木。
【請求項１２】
前記スリットを介して中心から同心円の外部に延出する電極回路は、該スリットに位置する部分において絶縁ペンキが塗布されてあることを特徴とする請求項１１に記載の高透光性の発光積木。
【請求項１３】
前記ベースの上面に第二基板を有し、該第二基板は、少なくとも１つの第二正電極回路と第二負電極回路とを備えた第二電極回路を含み、該第二正電極回路及び第二負電極回路のそれぞれが電気接続部材と電気接続されていることを特徴とする請求項８に記載の高透光性の発光積木。
【請求項１４】
前記ベースの上面に少なくとも１つの固定部が設けられると共に、前記電気接続部材の接続部に少なくとも１つの固定穴が前記固定部に対応するように形成され、該固定部と固定穴とが係合されていることを特徴とする請求項８に記載の高透光性の発光積木。
【発明の詳細な説明】
【技術分野】
【０００１】
本発明は、特に高透光性を有する発光積木に関するものである。
【背景技術】
【０００２】
従来の発光積木は、ベースと、複数の電気接続突部と、カバーとを有し、その内、該ベースの底部に複数の挿設穴が形成され、該ベースの上部に基板が設置され、該基板に回路が印刷されており、該回路に発光部材が設置される。また、その複数の電気接続突部は、溶接手段または挿設手段によって、回路と電気接続するように基板に取り付けられ、該各電気接続突部は、金属からなる正電極回路仕組み及び負電極回路仕組みを備えている。該カバーは、ベースの上部に組み合わせられ、電気接続突部と対応する箇所にそれぞれ挿設穴が形成される。このため、電気接続突部がカバーの挿設穴に挿し込まれて上部から突出することによって、上方の他の積木に組み合わせることができる。さらに、そのカバーが中空状で透光性を有するので、内部の発光部材を発光させると、光がカバーを通って外部へ射出することができる。
【先行技術文献】
【特許文献】
【０００３】
【特許文献１】台湾実用新案第Ｍ４０８４０２号
【発明の概要】
【発明が解決しようとする課題】
【０００４】
既存の積木は、発光部材によって発光することができるが、発光部材を基板に装着する場合に、その発光部材から射出した光を周りの電気接続突部に遮蔽され、カバーを通って外部に射出することが困難であり、光の射出角が制限されていた。また、それらの電気接続突部はそれぞれ、高価な導電性を有する金属を用いて製造されることから、製造コストが高かった。さらに、１つの電気接続突部は正電極回路及び負電極回路を含む構造で複雑であることから、製造に時間及びコストがかかると共に、製品が壊れやすく短絡するなどのトラブルを起こす虞があった。
【課題を解決するための手段】
【０００５】
本発明に係る高透光性の発光積木は、少なくとも１つの挿設穴が形成されたベースと、上部と側部とを備え、前記ベースに組み合わせられる中空状の透光体であり、前記ベースの前記挿設穴と対応するように前記上部に少なくとも１つの挿設突部が設けられ、前記側部が上部の周縁からベースへ延設されて前記ベースの周縁に組み合わせられるカバーと、前記ベースの上面に設置される基板であって、該基板と前記カバーとの間に開放空間が形成され、ベースの挿設穴と対応する少なくとも１つの、正電極回路及び負電極回路を有する電極回路を備え、前記正電極回路及び負電極回路のそれぞれは、前記開放空間に面して設置された電気接続部材と電気接続され、該電気接続部材は基板の電極回路と電気接続される突出部と、カバーの挿設突部に挿し込まれてカバーの外へ延出される少なくとも１つの弾性部材と、突出部と弾性部材とを接続する接続部とを備えた接続部基板と、前記開放空間に面して設置され、前記基板の電極回路と電気接続される発光部材と、を有するものである。
【０００６】
かかる高透光性の発光積木において、前記弾性部材が前記カバーの挿設突部から突出していることが好ましい。
【０００７】
かかる高透光性の発光積木において、前記挿設突部の高さと挿設突部から突出した弾性部材の高さとの合計高さは、前記ベースの前記挿設穴から前記基板までの深さより大きいことが好ましい。
【０００８】
かかる高透光性の発光積木において、前記電極回路の前記正電極回路及び前記負電極回路は、同心円状に設置され、外周側の電極回路の一部にスリットが形成され、中心の電極回路が前記スリットを介して同心円の外部に延出することが好ましい。
【０００９】
かかる高透光性の発光積木において、前記スリットを介して中心から同心円の外部に延出する電極回路は、該スリットに位置する部分において絶縁ペンキが塗布されてあることが好ましい。
【００１０】
かかる高透光性の発光積木において、前記カバーの内側面に第二基板を有し、該第二基板は、少なくとも１つの第二正電極回路と第二負電極回路とを備えた第二電極回路を含み、該第二正電極回路及び第二負電極回路のそれぞれが電気接続部材と電気接続されていることが好ましい。
【００１１】
かかる高透光性の発光積木において、前記カバーの上部の内側面に少なくとも１つの固定部が設けられると共に、前記電気接続部材の接続部に少なくとも１つの固定穴が前記固定部に対応するように形成され、該固定部と固定穴とが係合されていることが好ましい。
【００１２】
一方、他の高透光性の発光積木は、少なくとも１つの挿設穴が形成されたベースと、上部と側部とを備え、前記ベースに組み合わせられる中空状の透光体であり、前記ベースの前記挿設穴と対応するように前記上部に少なくとも１つの挿設突部が設けられ、前記側部が上部の周縁からベースへ延設されて前記ベースの周縁に組み合わせられるカバーと、前記カバーの上部の内側面に設置される基板であって、該基板と、前記カバーの前記側部と、前記ベースとの間に開放空間が形成され、前記カバーの挿設突部と対応し、正電極回路及び負電極回路を有する少なくとも１つの電極回路を備え、前記正電極回路と負電極回路のそれぞれは、前記開放空間に面して設置された電気接続部材と電気接続され、該電気接続部材は基板の電極回路と電気接続される突出部と、ベースの挿設穴に挿し込まれてベースの外へ延出された少なくとも１つの弾性部材と、突出部と弾性部材とを接続する接続部とを備えた接続部基板と、前記開放空間に面して設置され、前記基板の電極回路と電気接続される発光部材と、を有してもよい。
【００１３】
かかる他の高透光性の発光積木において、前記弾性部材が前記ベースの前記挿設穴から突出していることが好ましい。
【００１４】
かかる他の高透光性の発光積木において、前記挿設穴の深さと挿設穴から突出した前記弾性部材の高さとの合計高さは、前記カバーの前記挿設突部の上部から前記基板までの深さより大きいことが好ましい。
【００１５】
かかる他の高透光性の発光積木において、前記電極回路の正電極回路及び負電極回路は、同心円状に設置され、外周側の電極回路の一部にスリットが形成され、中心の電極回路がスリットを介して同心円の外部に延出することが好ましい。
【００１６】
かかる他の高透光性の発光積木において、前記スリットを介して中心から同心円の外部に延出する電極回路は、該スリットに位置する部分において絶縁ペンキが塗布されてあることが好ましい。
【００１７】
かかる他の高透光性の発光積木において、前記ベースの上面に第二基板を有し、該第二基板は、少なくとも１つの第二正電極回路と第二負電極回路とを備えた第二電極回路を含み、該第二正電極回路及び第二負電極回路のそれぞれが電気接続部材と電気接続されていることが好ましい。
【００１８】
かかる他の高透光性の発光積木において、前記ベースの上面に少なくとも１つの固定部が設けられると共に、前記電気接続部材の接続部に少なくとも１つの固定穴が前記固定部に対応するように形成され、該固定部と固定穴とが係合されていることが好ましい。
【発明の効果】
【００１９】
本発明に係る高透光性の発光積木は、従来の、発光部材からの光が電気接続突部により遮蔽されという問題を解決するために、その電気接続突部の代わりに、基板の一側に電気接続部材を設置したことから、構造がシンプルになると共に、コストを抑えることも可能であり、発光部材からの光を広く射出させることができる。
また、上方の発光積木が下方の発光積木に組み合わせられる時に、下方の発光積木の弾性部材２２３が挿設突部４１１から突出することから、上方の発光積木の基板２０が下方の発光積木の弾性部材２２３に押し付けられて電気接続となり、発光部材に電流を流すと、上方及び下方の発光積木の発光部材がともに発光する。
【００２０】
また、その正極回路及び負電極回路を発光積木の挿設突部及び挿設穴と対応するように同心円に配列することから、複数の発光積木を簡単に組み合わせて電気接続状態を取ることができる。なお、その同心円の外周側の電極回路２１一部にスリットが形成され、該スリットに位置する電極回路２１に絶縁ペンキ２１１が塗布されてあるので、隣り合う２つの発光積木を１つの挿設穴１１で組み合わせる時に、その発光積木が回転すると、その電極回路２１に重ねた他の発光積木の複数の電気接続部材２２が同時かつ同一の電極回路２１（円心及びスリット上の電極回路２１）と接触して短絡するなどの問題を抑えることができる。
【００２１】
そのカバー４０の内側面にさらに、第二基板５０を設置したことから、基板２０と第二基板５０との二重発光回路を有することになり、発光積木により多くの発光部材３０を設置することができる。
【００２２】
また、カバー４０に固定部４１２が設けられ、電気接続部材２２に固定穴２２４が形成され、カバー４０の固定部４１２が電気接続部材２２の固定穴２２４と対応して係合するため、その電気接続部材２２をしっかりとカバー４０に位置決めすることができる。
【００２３】
また、弾性部材２２３は、円弧状を呈してもよく、フォーク状且つ細長状を呈してもよく、湾曲状を呈してもよい。該弾性部材２２３における、一端が接続部２２２に接着され、上部が挿設突部４１１の上方から突出することから、発光積木を組み合わせる時に、上方の発光積木が底部の挿設穴１１を介して下方の積木の挿設突部４１１に組み合わされて、下方の挿設突部４１１から突出した弾性部材２２３が上方の発光積木の電極回路２１と接触するように、上方の発光積木と下方の発光積木とを電気接続することができる。そのため、上、下の発光積木の電極回路２１を簡単に電気接続することができることから、発光部材３０が短絡するなどのトラブルは生じない。
【図面の簡単な説明】
【００２４】
【図１】本発明に係る高透光性の発光積木の上面視斜視図である。
【図２】本発明に係る高透光性の発光積木の底面視斜視図である。
【図３】本発明に係る高透光性の発光積木の分解斜視図である。
【図４】本発明に係る高透光性の発光積木の他の電極回路を示す分解斜視図である。
【図５】図４の電極回路の底面視平面図である。
【図６】本発明に係る高透光性の発光積木の実施例の側面視断面図である。
【図７】本発明に係る高透光性の発光積木の他の実施例の側面視断面図である。
【図８】本発明に係る高透光性の発光積木のもう１つの実施例の側面視断面図である。
【図９】本発明に係る高透光性の発光積木の実施例において、２つの発光積木を組み合わせた状態を示す側面視断面図である。
【図１０】本発明に係る高透光性の発光積木の実施例において、二重発光回路を示す側面視断面図である。
【図１１】本発明に係る高透光性の発光積木の他の実施例の上面視斜視図である。
【図１２】本発明に係る高透光性の発光積木の他の実施例の底面視斜視図である。
【図１３】本発明に係る高透光性の発光積木の他の実施例の側面視断面図である。
【図１４】本発明に係る高透光性の発光積木の他の実施例において、２つの発光積木を組み合わせた状態を示す側面視断面図である。
【発明を実施するための形態】
【００２５】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００２６】
図１乃至図３に示すように、本発明に係る高透光性の発光積木は、ベース１０と、基板２０と、発光部材３０と、カバー４０とを有する。
【００２７】
その内、前記ベース１０は、矩形の盤体であり、８つの挿設穴１１がそれぞれ間隔をおいて二列に配列されている。前記基板２０は、ベース１０の上面に設置され、８つの正、負電極回路２１を備え、それらの正、負電極回路２１は、それぞれベース１０の挿設穴１１と対応すると共に、直列するように設置され、更に、それらの正電極回路及び負電極回路は異なる平面において同心円状に配列されている。その外周側の電極回路２１は、中空かつ円環状を呈しながら直列され、その中心の電極回路２１は、円環状の電極回路２１の中心から基板２０と離れる側に向かうように、円環状の電極回路２１の上方に延設されている。
【００２８】
図３及び６に示すように、前記カバー４０は、ベース１０と基板２０の上方に設置される。基板２０とカバー４０との間には開放空間６０が形成される。前記基板２０には、正電極回路と接続するようにベース１０と離れる側に、及び負電極回路と接続するようにベース１０と離れる側に、それぞれ電気接続部材２２が設置される。これらの電気接続部材２２は、電極回路２１の一側からベース１０と離れる側（開放空間６０の縦断方向へ）延設される。電気接続部材２２は、基板２０を突出するように基板２０と電気接続されている突出部２２１と、突出部２２１の電極回路２１に固定した箇所に設けられ、基板２０の長手方向と平行するように延設されている接続部２２２と、それぞれ接続部２２２に間隔をおいて開放空間６０と離れる側（カバー４０の挿設突部４１１）へ延設される４つの弾性部材２２３とを備えている。
【００２９】
前記発光部材３０は、基板２０の電極回路２１と電気接続され、該基板２０の電極回路２１を介して電流を発光部材３０に流すことができる。また、基板２０と電気接続部材２２を収容したカバー４０との間には開放空間６０が形成される。電気接続部材２２の一部が開放空間６０を部分的に塞いでも開放空間６０の存在により発光部材３０から射出した光が遮蔽されることはない。 
【００３０】
前記カバー４０は、中空状の透光体であり、発光部材３０からの光を通過させる。カバー４０はベース１０及び基板２０をカバーする。該カバー４０は、上部４１及び側部４２を備え、該上部４１における同心円の正電極回路及び負電極回路と対応する箇所に８つの中空状の挿設突部４１１が設けられる。それらの挿設突部４１１がそれぞれ電気接続部材２２の弾性部材２２３と対応するように配列され、且つ該弾性部材２２３が挿設突部４１１に挿し込まれる。該側部４２は、上部４１の周縁からベース１０へ延設され、該ベース１０の周縁に組み合わせられる。
【００３１】
さらに、前記挿設突部４１１は、上部４１と離れる側に３つの長穴４１１Ａが形成され、中間に位置する長穴４１１Ａ及び一側の長穴４１１Ａに正電極回路と電気接続した弾性部材２２３及び負電極回路と電気接続した弾性部材２２３が対応するように設置される。また、それらの弾性部材２２３の一部がそれぞれ長穴４１１Ａより突出することから、複数の発光積木を組み合わせる時に、その電気接続部材２２の弾性部材２２３によって、隣り合う発光積木における、外周側の電極回路２１が電気接続されると共に、中心の電極回路２１も電気接続される。
【００３２】
図４及び図５に示す実施例は、殆ど上述した実施例と同一であるが、ベース１０を有しないと共に、以下の基板２０を有する点において異なる。本実施例の基板２０は、８つのツリー状に配列する正、負電極回路２１を備え、その正極回路及び負電極回路は、同心円状に配列され、外周側の電極回路２１の一部にスリットが形成され、中心の電極回路２１がスリットを介して同心円の外部に延出し、かつ、該スリット上に位置する部分において絶縁ペンキ２１１が塗布される。それによれば、２つの発光積木を１つの挿設穴１１によって互いに組み立てる時に、その発光積木を回転することによって、両方の発光積木の複数の電気接続部材２２が同時かつ同一の電極回路２１（円心及びスリット上の電極回路２１）と接触して短絡するなどの問題を抑えることができる。
【００３３】
図６に示す弾性部材２２３は、一部に円弧を有する片状部材であり、一端が接続部２２２に接続され、円弧状の上部が挿設突部４１１の上方から突出することにより、上方の発光積木が底部の挿設穴１１を介して下方の積木の挿設突部４１１に組み合わせられる際に、下方の挿設突部４１１から突出した弾性部材２２３が上方の発光積木の電極回路２１と接触して、上方の発光積木と下方の発光積木とを電気接続とすることができる。
【００３４】
図７に示す弾性部材２２３は、フォーク状を呈する細長い部材であり、その一端が接続部２２２に接続されて開放空間６０と離れる側（カバー４０の挿設突部４１１の突出側）へ延出する。フォーク状を呈する弾性部材２２３はその先端がそれぞれ逆の三角形に形成され、その逆の三角形先端が挿設突部４１１の上方に突出することにより、上方の発光積木が底部の挿設穴１１を介して下方の発光積木の挿設突部４１１に組み合わせられる際に、下方の挿設突部４１１から突出した弾性部材２２３が上方の積木の電極回路２１と接触して、上方の発光積木と下方の発光積木とを電気接続することができる。
【００３５】
図８に示す弾性部材２２３は、湾曲した片状部材であり、その湾曲した片状部材に挿設突部４１１の内部で３つの折り返し部が形成され、弾力性を備えながら圧縮可能となり、その一端が接続部２２２に接続され、他端が円弧を呈するように挿設突部４１１の上方に突出することにより、上方の発光積木が底部の挿設穴１１を介して下方の発光積木の挿設突部４１１に組み合わせられる際に、下方の挿設突部４１１から突出した弾性部材２２３が上方の発光積木の電極回路２１と接触して、上方の発光積木と下方の発光積木とを電気接続することができる。
【００３６】
図９に示すように、上方の発光積木が下方の発光積木に組み合わせる時に、下方の発光積木の弾性部材２２３が挿設突部４１１から突出することにより、上方の発光積木の基板２０が下方の発光積木の弾性部材２２３を押し付けて電気接続することによって、上下の発光積木が接触して電気接続する。したがって、その挿設突部４１１の高さと挿設突部４１１から突出した弾性部材２２３の高さとの合計高さＨ１は、ベース１０の挿設穴１１から基板２０までの深さＤ１より大きい。
【００３７】
図６乃至図１０に示すように、カバー４０の上部４１の内側面に複数の固定部４１２が設けられ、その電気接続部材２２の接続部２２２に複数の固定穴２２４が形成されて、該固定部４１２が固定穴２２４と対応するように係合される。
【００３８】
また、図１０に示すように、前記カバー４０の内側面に第二基板５０を有してもよい。該第二基板５０は、複数の第二電極回路５１を含み、該第二電極回路５１は、第二正電極回路及び第二負電極回路を備え、それらの電極回路がそれぞれ電気接続部材２２と接触して電気接続する。その第二正電極回路及び第二負電極回路は基板２０における配列と同様にしてもいいが、そのように限定することはなく、基板２０における配列と異なる配列にすることもできる。該第二電極回路５１に発光部材３０が設置される。そうすれば、基板２０と第二基板５０とを有する二重発光回路となることから、発光積木に多くの発光部材３０を設置することができ、発光積木を明るく発光させることができる。
【００３９】
図１１乃至図１３に示すように、本発明の他の実施例は、上述した実施例と同一であるが、各部材の配列が異なる。本実施例においては、ベース１０と、基板２０と、発光部材３０と、カバー４０とを有し、その内、該ベース１０は、矩形の盤体であり、８つの挿設穴１１がそれぞれ間隔をおいて二列に配列されている。
【００４０】
前記カバー４０は、中空状の透光体であり、ベース１０をカバーするようにベース１０に組み合わせられ、上部４１及び側部４２を備え、該上部４１におけるベース１０の挿設穴１１と対応する箇所に８つの中空状の挿設突部４１１が設けられ、該側部４２は、上部４１の周縁からベース１０へ延設され、該ベース１０の周縁に組み合わせられる。
【００４１】
前記基板２０は、カバー４０の上部４１の内側面に設置される。基板２０と、カバー４０の側部４２と、ベース１０との間には開放空間６０Ａが形成される。直列した８つの正、負電極回路２１が設置され、それら８つの電極回路２１は、カバー４０の挿設突部４１１と対応するように同心円状に設置される。また、外周側の電極回路２１の一部にスリットが形成され、中心の電極回路２１がスリットを介して同心円の外部に延出することができ、かつ、スリットに位置する電極回路２１に絶縁ペンキ２１１が塗布されてある。
【００４２】
正電極回路及び負電極回路を有する電気接続部材２２は、前記基板２０に対してカバー４０の挿設突部４１１側に設置される。
電気接続部材２２は、開放空間６０Ａに面して設置され、その一部がベース１０の外へ延出される。
該各電気接続部材２２は、突出部２２１と、接続部２２２と、４枚の弾性部材２２３とを備える。その内、該突出部２２１は、電極回路２１の一側から開放空間６０Ａへ向かって延設され、基板２０を突出するように基板２０と電気接続され、該接続部２２２は、突出部２２１の電極回路２１と接着した箇所に設けられ、基板２０の長手方向と平行するように延設され、該弾性部材２２３はそれぞれ、接続部２２２に間隔をおいて開放空間６０Ａと離れる側へ延設され、ベース１０の挿設穴１１に挿し込まれて外へ突出する。
【００４３】
前記発光部材３０は、基板２０の電極回路２１に設置され、電極回路２１によって外部からの電力を発光部材３０に提供して発光させる。従来の電気接続突部の代わりに電気接続部材２２を有することから、電気接続部材２２が開放空間６０Ａを部分的に塞いでいても、発光部材３０から射出した光が遮蔽されることはない。
【００４４】
さらに、図１４に示すように、２つの発光積木を上下に組み合わせる際に、上方の積木の弾性部材２２３がベース１０の挿設穴１１から突出することにより、上方の発光積木の弾性部材２２３が下方の発光積木の基板２０の電極回路２１に押し付けられて電気接続する。したがって、その挿設穴１１の深さと挿設穴１１から突出した弾性部材２２３の高さとの合計高さＨ２は、カバー４０の挿設突部４１１の上部から基板２０までの深さＤ２より大きい。
【００４５】
以上より、本発明に係る高透光性の発光積木は、従来の電気接続突部の代わりに電気接続部材２２を設置することから、従来の電気接続突部が複雑な構造を有するという問題を解決すると共に、発光部材３０からの光が遮蔽されることなく、発光積木の発光面積を広くすることができる。
【００４６】
一方、本発明に係る高透光性の発光積木は、弾力のある片状部材を有することから、複数の発光積木を組み合わせる際に、一方の発光積木の弾性部材２２３が他方の発光積木の電極回路２１と接触しやすく、互いに簡単に電気接続することができることから、発光部材３０が短絡するなどのトラブルを抑制し、使用上の問題を減らすことができる。
【符号の説明】
【００４７】
１０      ベース
１１      挿設穴
２０      基板
２１      正、負電極回路
２１１    絶縁ペンキ
２２      電気接続部材
２２１    突出部
２２２    接続部
２２３    弾性部材
２２４    固定穴
３０      発光部材
４０      カバー
４１      上部
４１１    挿設突部
４１１Ａ  長穴
４１２    固定部
４２      側部
５０      第二基板
５１      第二電極回路
Ｈ１      高さ
Ｈ２      高さ
Ｄ１      深さ
Ｄ２      深さ
【要約】
【課題】特に高透光性を備える発光積木を提供する。
【解決手段】本発明の高透光性の発光積木は、ベースと、カバーと、接続部基板と、を有し、その内、該ベースに少なくとも１つの挿設穴が形成され、該カバーは、上部と側部とを備え、該ベースに組み合わせられる中空状の透光体であり、該ベースの該挿設穴と対応するように該上部に少なくとも１つの挿設突部が設けられ、該側部が上部の周縁からベースへ延設されて該ベースの周縁に組み合わせられ、該接続部基板は、該ベースの上面に設置され、ベースの挿設穴と対応する少なくとも１つの、正電極回路及び負電極回路を有する電極回路を備え、該正電極回路及び負電極回路のそれぞれにベースと離れる側において接続する電気接続部材が設置され、該電気接続部材は、該基板の電極回路と電気接続され、該基板の電極回路と電気接続される突出部と、挿設突部に挿し込まれる少なくとも１つの弾性部材と、突出部と弾性部材とを接続する接続部とを備える。
【選択図】図３【図１】
0005840812.tif 000002
【図２】
0005840812.tif 000003
【図３】
0005840812.tif 000004
【図４】
0005840812.tif 000005
【図５】
0005840812.tif 000006
【図６】
0005840812.tif 000007
【図７】
0005840812.tif 000008
【図８】
0005840812.tif 000009
【図９】
0005840812.tif 000010
【図１０】
0005840812.tif 000011
【図１１】
0005840812.tif 000012
【図１２】
0005840812.tif 000013
【図１３】
0005840812.tif 000014
【図１４】
0005840812.tif 000015